(57)【要約】【課題】球を撞くキューの操作方法を練習するビリヤード用ストローク練習器具を提供する。【解決手段】ビリヤード台４０近くに立設したポール６０と、ストローク練習者との間に、キュー１０を配置して、ストローク練習者の自己の利き腕に掴んだキューグリップ１４の後端周囲に先端が締まり嵌め固定されて、そのキューグリップ１４の後方に延出された筒体３０の胴部を、ポール６０の側面に押接させながら、そのポール６０側面を横切る方向に摺動させる。そして、ストローク練習者が、キュー１０を、真後ろではなくて、自己の体の方に引き付けてしまう癖、及び／又はキュー１０を、真っすぐ前方にではなくて、曲げて撞き出してしまう癖を直す。【選択図】図１
2007275485.tif 000002
【特許請求の範囲】
【請求項１】
ビリヤードのストローク練習者がキューを前後に移動させた際に、キューを、真後ろではなくて、自己の体の方に引き付けてしまう癖、及び／又はキューを、真っすぐ前方にではなくて、曲げて撞き出してしまう癖を直すためのストローク練習用器具であって、
キューシャフト先端からキュー周囲に被冠して、キュー周囲をキューグリップ後端まで移動させ、その後方に行くに従い漸次大径に形成されたキューグリップの後端周囲に、その内径が小径に絞られた先端内周壁を押接させた状態で固定して、その後部をキューグリップ後方に延出させた状態とする筒体からなることを特徴とするビリヤード用ストローク練習用器具。
【請求項２】
前記筒体が、紙管製又は樹脂管製のものであることを特徴とする請求項１記載のビリヤード用ストローク練習用器具。
【請求項３】
ビリヤード台近くに立設して、前記キューグリップ後方に延出させた筒体の胴部を、その側面に押接させながら、その側面を横切る方向に摺動させるポールが備えられたことを特徴とする請求項１記載のビリヤード用ストローク練習用器具。
【請求項４】
前記ポールが、複数の小部品に分解可能な構造をしたことを特徴とする請求項３記載のビリヤード用ストローク練習用器具。
【請求項５】
前記ポールをビリヤード台近くに立設した状態において、そのビリヤード台周囲のレール上面とほぼ同じ高さに位置するポールの中途部に、前記筒体の胴部下側面を、その上側面に押接させながら、その上側面を横切る方向に摺動させる横バーが突設されたことを特徴とする請求項３記載のビリヤード用ストローク練習用器具。
【請求項６】
請求項１及び３記載のビリヤード用ストローク練習用器具を用いたビリヤードのストローク練習方法であって、
ビリヤード台近くに立設された前記ポールと、ビリヤードのストローク練習者との間に、キューを配置して、そのストローク練習者が自己の利き腕に掴んだキューグリップの後端周囲に先端が固定されて、そのキューグリップの後方に延出された前記筒体の胴部を、前記ポールの側面から離隔させずに、そのポールの側面に押接させながら、そのポール側面を横切る方向に摺動させて、そのストローク練習者がキューを前後に移動させた際に、キューを、真後ろではなくて、自己の体の方に引き付けてしまう癖、及び／又はキューを、真っすぐ前方にではなくて、曲げて撞き出してしまう癖を直すことを特徴とするビリヤードのストローク練習方法。
【請求項７】
請求項１記載のビリヤード用ストローク練習用器具を用いたビリヤードのストローク練習方法であって、
前記ポールに代わるビリヤード台近くに存在する柱又は壁と、ビリヤードのストローク練習者との間に、キューを配置して、そのストローク練習者が自己の利き腕に掴んだキューグリップの後端周囲に先端が固定されて、そのキューグリップの後方に延出された前記筒体の胴部を、前記柱又は壁の側面から離隔させずに、その柱又は壁の側面に押接させながら、その柱又は壁の側面を横切る方向に摺動させて、そのストローク練習者がキューを前後に移動させた際に、キューを、真後ろではなくて、自己の体の方に引き付けてしまう癖、及び／又はキューを、真っすぐ前方にではなくて、曲げて撞き出してしまう癖を直すことを特徴とするビリヤードのストローク練習方法。
【発明の詳細な説明】
【技術分野】
【０００１】
本発明は、球を撞くキューの操作方法（ストローク）を訓練するための、ビリヤード用ストローク練習器具と、該器具を用いたビリヤードのストローク練習方法に関する。
【背景技術】
【０００２】
ビリヤードにおいては、球を撞くキューの動きが、即ちキューのストローク動作が、球のスピードや回転、さらには球の進行方向までの全てを決定する。そのために、初心者は勿論、上級者においても、球を撞く際の、キューの正確な自己のフォームを、身につけることが、ビリヤード上達の最大キーポイントとなっている。具体的には、多くの人の場合に、上級者でも、ストローク動作において、テイクバックの姿勢（キューを後方に引き取る姿勢）を取る時には、キューを、真後ろではなくて、人体の構造上から、必然的に、利き腕の方にこじって、自己の体に近づけてしまい易い。同様に、ストローク練習者がキューを前方に撞き出す時には、キューを、真っすぐ前方にではなくて、曲げて撞き出してしまうことが多い。そして、球をキュー先端で左右いずれかの方向にこじってしまう傾向が多々ある。従って、ビリヤードの上達を図るためには、キューのストロークのフォームを、頭ではなく、体で理解し、自己の筋肉に完全に覚え込ませることが肝要である。これが、いわゆるマッスルメモリー理論と一般に呼ばれている理論である。
【０００３】
このマッスルメモリー理論を、ビリヤードのストローク練習に応用するための装置としては、特開２００２−１２６１５８号公報に記載されたような、ビリヤード練習用キューが開発されている。また、特開２００２−１８６７０２号公報に記載されたような、撞球練習装置及び撞球練習システムも開発されている。
【特許文献１】特開２００２−１２６１５８号公報
【特許文献２】特開２００２−１８６７０２号公報
【発明の開示】
【発明が解決しようとする課題】
【０００４】
しかしながら、前者の公報記載のビリヤード練習用キューは、キュー後端を支持する手段が存在しないために、キューの移動方向を、所望の方向に動かぬように安定させて定めることができなかった。そのために、キューを引き取ったり撞き出したりした際に、そのキューの移動方向が、一定の方向に定まらずに、左右にぶれる等してしまった。
他方、後者の公報記載の撞球練習装置及び撞球練習システムは、その構造が複雑で操作しにくく、身近に置いて、ビリヤードのストローク練習を誰でもが手軽に行うことができず、汎用性に乏しいものであった。
【０００５】
本発明は、このような課題を解消可能な、前述のマッスルメモリー理論を的確に応用して、キューのストロークの姿勢を、即ちキューの引き取り方向や撞き出し方向を的確に修正できる、身近に置いて、誰でもが手軽に使用可能な、簡便な、汎用性のあるビリヤード用ストローク練習器具と、該器具を用いたビリヤードのストローク練習方法を提供することを目的としている。
【課題を解決するための手段】
【０００６】
このような目的を達成するために、本発明の第１のビリヤード用ストローク練習器具は、キューシャフト先端からキュー周囲に被冠して、キュー周囲をキューグリップ後端まで移動させ、その後方に行くに従い大径に形成されたキューグリップの後端周囲に、その内径が小径に絞られた先端内周壁を押接させた状態で固定して、その後部をキューグリップ後方に延出させた状態とする筒体からなることを特徴としている。
また、ビリヤード台近くに立設して、前記キューグリップ後方に延出させた筒体の胴部を、その側面に押接させながら、その側面を横切る方向に摺動させるポールが備えられたことを特徴としている。
【０００７】
また、本発明の第１のビリヤードのストローク練習方法は、本発明の第１のビリヤード用ストローク練習用器具を用いたビリヤードのストローク練習方法であって、
ビリヤード台近くに立設された前記ポールと、ビリヤードのストローク練習者との間に、キューを配置して、そのストローク練習者が自己の利き腕に掴んだキューグリップの後端周囲に先端が固定されて、そのキューグリップの後方に延出された前記筒体を、前記ポールの側面から離隔させずに、そのポールの側面に押接させながら、そのポール側面を横切る方向に摺動させて、そのストローク練習者がキューを前後に移動させた際に、キューを、真後ろではなくて、自己の体の方に引き付けてしまう癖、及び／又はキューを、真っすぐ前方にではなくて、左又は右等に曲げて撞き出してしまう癖を直すことを特徴としている。
【０００８】
この第１のビリヤード用ストローク練習用器具を用いた、第１のビリヤードのストローク練習方法においては、ストローク練習者は、第１のビリヤード用ストローク練習用器具の筒体を、キューシャフト先端からキュー周囲に被冠して、キュー周囲をキューグリップ後端まで移動させることができる。そして、その漸次大径に形成されたキューグリップの後端周囲に、その内径が小径に絞られた筒体先端の内周壁を隙間なく押接させた状態として、その筒体先端をキューグリップ後端周囲に動かぬように締まり嵌め固定できる。そして、その筒体後部を、キューグリップ後方に真っすぐに延出させた状態とすることができる。
また、ストローク練習者は、第１のビリヤード用ストローク練習用器具に備えられたポールを、ビリヤード台近くに立設して、そのポールと、自己の身体との間に、キューを配置できる。
次いで、ストローク練習者は、自己の利き腕に掴んだキューグリップの後端周囲に先端が固定されて、そのキューグリップの後方に延出された前記筒体の胴部を、キューを挟んで自己の身体とは反対側に立設された前記ポールの側面から離隔させずに、そのポールの側面に押接させながら、そのポール側面を横切る方向に摺動させることができる。そして、そのストローク練習者がキューを前後に移動させた際に、キューを、真後ろではなくて、自己の体の方に引き付けてしまう癖、及び／又はキューを、真っすぐ前方にではなくて、左又は右等に曲げて撞き出してしまう癖を直すことができる。
【０００９】
この第１のビリヤードのストローク練習方法に用いる第１のビリヤード用ストローク練習用器具のポールは、複数の小部品に分解可能な構造とすると良い。そして、そのポールの運搬や収納の際などに、ポールを、複数の小部品に分解して、取り扱い易いようにコンパクトに纏められるようにすると良い。
また、ポールをビリヤード台近くに立設した状態において、そのビリヤード台周囲のレール上面とほぼ同じ高さに位置するポールの中途部には、横バーを突設すると良い。そして、第１のビリヤードのストローク練習方法において、上記のようにして、ストローク練習者が、キューを前後に移動させた際に、そのポールの中途部に突設された横バーの上側面に、キューグリップの後方に延出された前記筒体の胴部の下側面を押接させながら、その筒体の胴部の下側面を、横バーの上側面を横切る方向に摺動させると良い。そして、キューが、上下にスイングするのを防ぐと良い。そして、ストローク練習者が、キューを前後に移動させた際に、キューを自己の利き腕の関節を中心に上下にスイングさせてしまう癖を直すと良い。
【００１０】
また、本発明の第２のビリヤード用ストローク練習器具は、キューシャフト先端からキュー周囲に被冠して、キュー周囲をキューグリップ後端まで移動させ、その後方に行くに従い大径に形成されたキューグリップの後端周囲に、その内径が小径に絞られた先端内周壁を押接させた状態で固定して、その後部をキューグリップ後方に延出させた状態とする筒体からなることを特徴としている。
【００１１】
また、本発明の第２のビリヤードのストローク練習方法は、ビリヤード台近くに立設する前記ポールに代わるビリヤード台近くに存在する柱又は壁と、ビリヤードのストローク練習者との間に、キューを配置して、そのストローク練習者が自己の利き腕に掴んだキューグリップの後端周囲に先端が固定されて、そのキューグリップの後方に延出された前記筒体の胴部を、前記柱又は壁の側面から離隔させずに、その柱又は壁の側面に押接させながら、その柱又は壁の側面を横切る方向に摺動させて、そのストローク練習者がキューを前後に移動させた際に、キューを、真後ろではなくて、自己の体の方に引き付けてしまう癖、及び／又はキューを、真っすぐ前方にではなくて、曲げて撞き出してしまう癖を直すことを特徴としている。
【００１２】
この第２のビリヤード用ストローク練習用器具を用いた、第２のビリヤードのストローク練習方法においては、ストローク練習者は、第２のビリヤード用ストローク練習用器具の筒体を、キューシャフト先端からキュー周囲に被冠して、キュー周囲をキューグリップ後端まで移動させることができる。そして、その漸次大径に形成されたキューグリップの後端周囲に、筒体の内径が小径に絞られた先端内周壁を隙間なく押接させた状態として、その筒体先端をキューグリップ後端周囲に動かぬように締まり嵌め固定できる。そして、その筒体後部を、キューグリップ後方に真っすぐに延出させた状態とすることができる。
また、ストローク練習者は、前記ポールに代わるビリヤード台近くに存在する柱又は壁と、自己の身体との間に、キューを配置できる。そして、そのストローク練習者が自己の利き腕に掴んだキューグリップの後端周囲に固定されて、そのキューグリップの後方に延出された前記筒体の胴部を、キューを挟んで自己とは反対側に存在する前記柱又は壁の側面から離隔させずに、その柱又は壁の側面に押接させながら、その柱又は壁の側面を横切る方向に摺動させることができる。そして、そのストローク練習者がキューを前後に移動させた際に、キューを、真後ろではなくて、自己の体の方に引き付けてしまう癖、及び／又はキューを、真っすぐ前方にではなくて、左又は右等に曲げて撞き出してしまう癖を直すことができる。
【発明の効果】
【００１３】
以上説明したように、本発明の第１又は第２のビリヤード用ストローク練習器具を用いた、本発明の第１又は第２のビリヤードのストローク練習方法によれば、ストローク練習者がキューを前後に移動させた際に、キューを、真後ろではなくて、自己の体の方に引き付けてしまう癖、及び／又はキューを、真っすぐ前方にではなくて、曲げて撞き出してしまう癖を直すことができる。そして、正しい姿勢でのキューのストローク練習を、誰でもが手軽に、繰り返し容易かつ的確に行うことが可能となり、前述のマッスルメモリー理論を、確実に具現化可能となる。
【発明を実施するための最良の形態】
【００１４】
次に、本発明の実施の形態を図面に従い説明する。
図１ないし図３は本発明の第１のビリヤード用ストローク練習器具の好適な実施の形態を示している。以下に、この第１のビリヤード用ストローク練習器具を説明する。
【００１５】
図５に示したように、キュー１０は、一般に、球を撞く丸棒状のキューシャフト１２の後端が、バットと呼ばれる利き手で掴む同じく丸棒状のキューグリップ１４先端にねじ込まれて、それらのキューシャフト１２とキューグリップ１４とが段差なく直線状に連なった構造をしている。キューグリップ１４は、その後方に行くに従い漸次大径となるように形成されている。キューシャフト１２は、キューグリップ１４よりも小径に形成されている。
【００１６】
第１のビリヤード用ストローク練習器具は、図３に示したような、筒体３０を主要構成部材としている。この筒体３０は、その長さが例えば４５０〜６００ｍｍに形成された、円筒状をしていて、上記のキューシャフト１２先端からキュー１０周囲に被冠して、キュー１０周囲をキューグリップ１４後端まで移動させることの可能な例えば３３．５ｍｍのほぼ均一の内径を持っている。そのうち、筒体先端３２の例えば５ｍｍまでの内径は、３０．５ｍｍに小径に形成されている。そして、その筒体３０を、図１に示したように、キューシャフト１２先端からキュー１０周囲に被冠して、キュー１０周囲をキューグリップ１４後端まで移動させることができる構造をしている。そして、その内径が小径に絞られた筒体先端３２を、図３に示したように、その後方に行くに従い大径に形成されたキューグリップ１４の後端周囲に押接させた状態で、締まり嵌め固定できる構造をしている。そして、その先端がキューグリップ１４の後端周囲に固定された筒体後部３４を、キューグリップ１４後方に真っすぐに延出させた状態とすることができる構造をしている。
【００１７】
また、第１のビリヤード用ストローク練習器具には、図１に示したような、ビリヤード台４０近くの床面５０上に立設して、前記キューグリップ後方に延出させた筒体３０の胴部を、その側面に押接させながら、その側面を横切る方向に摺動させるポール６０が備えられている。ポール６０は、例えば長さが１４００ｍｍ前後の棒状をしたポール本体６２と、該ポール本体をビリヤード台４０近くの床面５０上に垂直に起立させた状態に支持する脚台６４とから構成されている。
【００１８】
図１ないし図３に示した第１のビリヤード用ストローク練習器具は、以上の筒体３０とポール６０とから構成されている。
次に、この第１のビリヤード用ストローク練習器具を用いた、本発明の第１のビリヤードのストローク練習方法の好適な実施の形態を説明する。
【００１９】
この第１のビリヤード用ストローク練習器具を用いた第１のビリヤードのストローク練習方法においては、図１に示したように、ストローク練習者は、第１のビリヤード用ストローク練習用器具の筒体３０を、例えば各自が持つプレーキューのキューシャフト１２先端からキュー１０周囲に被冠して、そのキュー１０周囲をキューグリップ１４後端まで移動させている。そして、その漸次大径に形成されたキューグリップ１４後端の周囲に、筒体先端３２の内径が小径に絞られた内周壁を隙間なく押接させた状態として、その筒体先端３２をキューグリップ１４後端の周囲に動かぬように締まり嵌め固定している。そして、その筒体後部３４を、キューグリップ１４後方に真っすぐに延出させた状態としている。
また、ストローク練習者は、第１のビリヤード用ストローク練習用器具に備えられたポール６０を、ビリヤード台４０近くの床面５０上に立設して、図２に示したように、そのポール６０と、自己の身体との間に、キュー１０を配置している。
次いで、ストローク練習者は、自己の利き腕に掴んだキューグリップ１４後端周囲に先端３２が固定されて、そのキューグリップの後方に延出された前記筒体３０の胴部側面を、キュー１０を挟んで自己の身体とは反対側に立設された前記ポール６０側面から離隔させずに、そのポール６０側面に押接させながら、そのポール６０側面を横切る方向に摺動させている。そして、そのストローク練習者がキュー１０を前後に移動させた際に、キュー１０を、真後ろではなくて、自己の体の方に引き付けてしまう癖、及び／又はキュー１０を、真っすぐ前方にではなくて、左又は右等に曲げて撞き出してしまう癖を直すようにしている。
【００２０】
この第１のビリヤードのストローク練習方法に用いる第１のビリヤード用ストローク練習器具のポール６０は、例えば図４に示したように、そのポール本体６２が脚台６４にねじ込まれて固定されたり、その長いポール本体６２が上下２本の棒材６２ａ、６２ｂの対向する端部が互いに分離可能に直線状に連結されたりして、一体に組み立てられた構造とすると良い。そして、ポール６０を、その運搬や収納の際などに、複数の小部品の例えば上下２本の棒材６２ａ、６２ｂと脚台６４とに分解して、取り扱い易いようにコンパクトに纏められるようにすると良い。
また、ポール６０をビリヤード台４０近くに立設した状態において、ビリヤード台周囲のレール４２上面とほぼ同じ高さに位置する、例えばビリヤード台４０が置かれた床面５０から約８３ｃｍの高さの、ポール本体６２の中途部には、横バー６６を突設すると良い。そして、第１のビリヤードのストローク練習方法において、キュー１０を前後に移動させる際に、図１に示したように、そのポール本体６２の中途部に突設された横バー６６の上側面に、キューグリップの後方に延出された筒体３０の胴部の下側面を押接させながら、その筒体３０の胴部の下側面を横バー６６の上側面を横切る方向に摺動させると良い。そして、キュー１０が、上下にスイングするのを防ぐと良い。そして、ストローク練習者が、キュー１０を前後に移動させた際に、キュー１０を自己の利き腕の関節を中心に上下にスイングさせてしまう癖を直せるようにすると良い。
【００２１】
図６は本発明の第２のビリヤード用ストローク練習器具の好適な実施の形態を示している。以下に、この第２のビリヤード用ストローク練習器具を説明する。
【００２２】
この第２のビリヤード用ストローク練習器具は、前述の第１のビリヤード用ストローク練習器具と同様な構成の、キューシャフト１２先端からキュー１０周囲に被冠して、キュー１０周囲をキューグリップ１４後端まで移動させ、その後方に行くに従い大径に形成されたキューグリップ１４後端の周囲に、その先端３２の内径が小径に絞られた内側壁を押接させた状態で固定して、その後部３４をキューグリップ１４後方に延出させた状態とする、円筒状をした筒体３０から構成されている。
他方、この第２のビリヤード用ストローク練習器具においては、前述の第１のビリヤード用ストローク練習器具と同様な構成のポール６０が備えられていない。その代わりに、図６に示したように、ビリヤード台４０近くに存在する建物や家具類などの柱又は壁（図６では、柱）７０が、ポール６０に代用される構造をしている。
【００２３】
図６に示した第２のビリヤード用ストローク練習器具は、以上のように構成されている。
次に、この第２のビリヤード用ストローク練習器具を用いた本発明の第２のビリヤードのストローク練習方法の好適な実施の形態を説明する。
【００２４】
この第２のビリヤード用ストローク練習器具を用いた第２のビリヤードのストローク練習方法においては、ビリヤードのストローク練習者は、前述の第１のビリヤード練習方法と同様に、第２のビリヤード用ストローク練習用器具の筒体３０を、例えば各自のプレーキューのキューシャフト１２先端からキュー１０周囲に被冠して、そのキュー１０周囲をキューグリップ１４後端まで移動させている。そして、その漸次大径に形成されたキューグリップ１４後端の周囲に、その内径が小径に絞られた筒体先端３２の内周壁を隙間なく押接させた状態として、その筒体先端３２をキューグリップ１４後端周囲に動かぬように締まり嵌め固定している。そして、その筒体後部３４を、キューグリップ１４後方に真っすぐに延出させた状態としている。
また、ストローク練習者は、前記ポール６０に代わるビリヤード台４０近くに存在する柱又は壁７０と、自己の身体との間に、キュー１０を配置している。そして、そのストローク練習者が、自己の利き腕に掴んだキューグリップ１４後端の周囲に締まり嵌め固定されて、そのキューグリップ１４後方に延出された前記筒体３０の胴部側面を、キュー１０を挟んで自己とは反対側に存在する前記柱又は壁７０の側面から離隔させずに、その柱又は壁７０の側面に押接させながら、その柱又は壁７０の側面を横切る方向に摺動させている。そして、そのストローク練習者がキュー１０を前後に移動させた際に、キュー１０を、真後ろではなくて、自己の体の方に引き付けてしまう癖、及び／又はキュー１０を、真っすぐ前方にではなくて、左又は右等に曲げて撞き出してしまう癖を直すようにしている。
【００２５】
第１、第２のビリヤード用ストローク練習器具においては、筒体３０を、紙管製又は樹脂製のものとすると良い。そして、その筒体３０の軽量化を図ったり、その筒体３０を容易かつ安価に製造可能としたりすると良い。
【産業上の利用可能性】
【００２６】
本発明の第１、第２のビリヤード用ストローク練習器具を用いた、本発明の第１又は第２のビリヤードのストローク練習方法は、ビリヤード遊技を行う者がキューを前後に移動させた際に、キューを、真後ろではなくて、自己の体の方に引き付けてしまう癖、及び／又はキューを、真っすぐ前方にではなくて、左又は右等に曲げて撞き出してしまう癖を直すストローク練習を行うのに、広く有効利用可能である。
【図面の簡単な説明】
【００２７】
【図１】本発明のビリヤード用ストローク練習器具の使用状態を示す正面図である。
【図２】本発明のビリヤード用ストローク練習器具の使用状態を示す平面図である。
【図３】本発明のビリヤード用ストローク練習器具の筒体の使用状態を示す正面断面図である。
【図４】本発明のビリヤード用ストローク練習器具のポールの正面図である。
【図５】キューの正面図である。
【図６】本発明のビリヤード用ストローク練習機の使用状態を示す正面図である。
【符号の説明】
【００２８】
１０ キュー
１２ キューシャフト
１４ キューグリップ
３０ 筒体
３２ 筒体先端
３４ 筒体後部
４０ ビリヤード台
５０ 床面
６０ ポール
６２ ポール本体
６４ 脚台
６６ 横バー
７０ 柱又は壁
【図１】
2007275485.tif 000003
【図２】
2007275485.tif 000004
【図３】
2007275485.tif 000005
【図４】
2007275485.tif 000006
【図５】
2007275485.tif 000007
【図６】
2007275485.tif 000008